(57)【要約】【課題】側壁部を特別に補強することなく平面ディスプレイを取り付け可能にするディスプレイ取付装置を提供する。【解決手段】ディスプレイ取付装置２００に、側壁部３００に設けられるフック部材２１２と、平面ディスプレイ１００が取り付けられ、かつ、鉛直方向に沿ってフック部材２１２に摺動可能な状態で支持されるスライド部材２２０と、スライド部材２２０が固定され、かつ、床面部４００に支持される支柱部材２３０と、を設けている。このため、平面ディスプレイ１００の重量の大部分を床面部４００で支持でき、側壁部３００への負担を大幅に軽減することができる。したがって、側壁部３００を特に補強することなく、平面ディスプレイ１００を所望の設置場所に確実に取り付けることができる。【選択図】図４
2006323195.tif 000002
【特許請求の範囲】
【請求項１】
平面ディスプレイを取り付けるためのディスプレイ取付装置であって、
前記平面ディスプレイを設置する場所の側壁部に設けられるフック部材と、
前記平面ディスプレイが取り付けられ、前記設置場所の床面部に対して略垂直方向に沿って前記フック部材に摺動可能な状態で支持されるスライド部材と、
前記スライド部材が固定され、前記床面部に支持される支柱部材と、
を具備したことを特徴とするディスプレイ取付装置。
【請求項２】
請求項１に記載のディスプレイ取付装置において、
複数の前記フック部材が前記床面部に対して略垂直方向に沿って並設された一組のフック部材組が、前記側壁部に複数組並列して設けられ、
前記スライド部材および前記支柱部材は、前記フック部材組のそれぞれに対応して配設される
ことを特徴とするディスプレイ取付装置。
【請求項３】
請求項１または請求項２に記載のディスプレイ取付装置において、
前記フック部材は、プレートを介して前記側壁部に固定される
ことを特徴とするディスプレイ取付装置。
【請求項４】
請求項１または請求項２に記載のディスプレイ取付装置において、
前記フック部材は、前記側壁部に直接固定される
ことを特徴とするディスプレイ取付装置。
【請求項５】
請求項１ないし請求項４のいずれかに記載のディスプレイ取付装置において、
前記側壁部に固定され、前記支柱部材を支持する支柱支持部材を具備した
ことを特徴とするディスプレイ取付装置。
【請求項６】
請求項５に記載のディスプレイ取付装置において、
前記支柱支持部材は、前記支柱部材を摺動可能な状態で支持する
ことを特徴とするディスプレイ取付装置。
【請求項７】
請求項１ないし請求項６のいずれかに記載のディスプレイ取付装置において、
前記支柱部材の前記床面部側には、前記床面部に当接される当接面部を有した屈曲部が設けられた
ことを特徴とするディスプレイ取付装置。
【請求項８】
請求項７に記載のディスプレイ取付装置において、
前記屈曲部は、前記床面部と前記側壁部に沿う状態に屈曲した
ことを特徴とするディスプレイ取付装置。
【請求項９】
請求項１ないし請求項６のいずれかに記載のディスプレイ取付装置において、
前記支柱部材は、前記側壁部に沿った直線棒状であり、一端部が前記床面部に当接された
ことを特徴とするディスプレイ取付装置。
【請求項１０】
請求項９に記載のディスプレイ取付装置において、
前記支柱部材は、前記床面部に載置されるラックに一体的に取り付けられて前記床面部に支持される
ことを特徴とするディスプレイ取付装置。
【請求項１１】
請求項１ないし請求項１０のいずれかに記載のディスプレイ取付装置において、
前記支柱部材を覆うカバー部材を具備した
ことを特徴とするディスプレイ取付装置。
【発明の詳細な説明】
【技術分野】
【０００１】
本発明は、平面ディスプレイを取り付けるためのディスプレイ取付装置に関する。
【背景技術】
【０００２】
従来、例えばプラズマディスプレイパネルや液晶表示パネルなどの平面ディスプレイを、室内などの側壁部に取り付けるためのディスプレイ取付装置が知られている（例えば、特許文献１参照）。この特許文献１に記載の構成は、平面型表示装置と、第１の支持手段と、第２の支持手段と、を備えている。
【０００３】
平面型表示装置は、プラズマディスプレイパネルや液晶ディスプレイ等である。第１の支持手段は、平面型表示装置の背面下部を壁面に対して支持する。この第１の支持手段は、平面型表示装置の背面下部に設けた第１の軸支部と、この第１の軸支部を軸支する壁面に水平に取付けた第１の支軸と、からなる。
【０００４】
第２の支持手段は、平面型表示装置の背面上部を壁面に対して支持する。この第２の支持手段は、平面型表示装置の背面上部に設けた第２の軸支部と、壁面に突出して取付けられた一対の伸縮部と、一対の伸縮部の突出方向の端部間に設けた第２の軸支部を軸支する第２の支軸と、からなる。伸縮部は、壁面より突出方向に摺動自在に伸縮し、所望の長さに例えばネジにより固定される。第１の軸支部および第２の軸支部は、平面型表示装置の背面にネジで固定された背面側取付具の一部である。また、第１の支軸と、一対の伸縮部と、第２の支軸とは、壁面にネジで固定された壁面側取付具の一部である。
【０００５】
そして、平面型表示装置の壁面への設置は、壁面に壁面側取付具をネジで固定し、平面型表示装置の背面にネジで固定された背面側取付具の第１の軸支部および第２の軸支部をそれぞれ壁面側取付具の第１の支軸と第２の支軸に軸支するように設置する。
【０００６】
また、平面型表示装置の取付け角度の調節は、第２の支持手段を構成する壁面に突出して取付けられた一対の伸縮部を伸縮することにより、第２の支軸が平面型表示装置の背面下部の近傍の第１の支軸を回転軸とする円弧上に移動し、平面型表示装置の背面上部と壁面との間隔が変更されて取付け角度の調節が行われる、という構成が採られている。
【０００７】
【特許文献１】特開２００２−３２０３４号公報（第６頁、図１および図２参照）
【発明の開示】
【発明が解決しようとする課題】
【０００８】
しかしながら、上述した特許文献１に記載のような構成では、第１の支持手段および第２の支持手段により、大きな重量を有した平面型表示装置を壁面のみで支持するので、壁面を補強するために大掛かりな補強工事を必要としてしまうおそれがある。また、平面型表示装置を設置する壁面には特別な補強が必要となることから、利用者が平面型表示装置の設置場所を変更することが制限されてしまうおそれがある、などの問題が一例として挙げられる。
【０００９】
本発明は、上述したような問題点に鑑みて、側壁部を特別に補強することなく平面ディスプレイを取り付け可能にするディスプレイ取付装置を提供することを１つの目的とする。
【課題を解決するための手段】
【００１０】
請求項１に記載の発明は、平面ディスプレイを取り付けるためのディスプレイ取付装置であって、前記平面ディスプレイを設置する場所の側壁部に設けられるフック部材と、前記平面ディスプレイが取り付けられ、前記設置場所の床面部に対して略垂直方向に沿って前記フック部材に摺動可能な状態で支持されるスライド部材と、前記スライド部材が固定され、前記床面部に支持される支柱部材と、を具備したことを特徴とするディスプレイ取付装置である。
【発明を実施するための最良の形態】
【００１１】
以下に、本発明の一実施の形態を図面に基づいて説明する。なお、本実施の形態では、本発明のディスプレイ取付装置にて取り付けられる平面ディスプレイとして、プラズマディスプレイパネルを備えた構成を例示するが、これに限らず、例えば液晶表示パネルや有機ＥＬ（Electro Luminescence）パネル、ＦＥＤ（Field Emission Display）、電気泳動ディスプレイパネルなどを備えたいずれの構成でも適用できる。図１は、本発明の一実施の形態に係るディスプレイ取付装置にて平面ディスプレイが取り付けられた状態を示す斜視図である。図２は、図１において、前記実施の形態におけるカバー部材を外した状態を示す斜視図である。図３は、ディスプレイ取付装置にて平面ディスプレイが取り付けられた状態を示す側面図である。図４は、ディスプレイ取付装置の分解構造を示した斜視図である。図５は、スライド部材および支柱部材を拡大して示した斜視図である。図６は、ディスプレイ取付装置の要部を拡大して示した平面図である。
【００１２】
〔ディスプレイ取付装置の構成〕
図１において、平面ディスプレイ１００は、ディスプレイ取付装置２００により、側壁部３００と、この側壁部３００に略直交して一連に設けられた床面部４００とを備えた場所に設置されている。この平面ディスプレイ１００の設置場所としては、例えば、家屋の室内や、屋内ステージ、屋外ステージなど、側壁部３００および床面部４００を備えた様々な設置場所が挙げられる。
【００１３】
平面ディスプレイ１００は、ディスプレイ部１１０と、図示しない回路装置と、筐体１２０とを備えている。ディスプレイ部１１０は、平面略長方形状のプラズマディスプレイパネルである。このディスプレイ部は、回路装置と各種信号が送受信可能に接続され、回路装置で処理された映像データを受信して表示出力する。回路装置は、ディスプレイ部１１０の表示面１１１の背面側中央部に設けられている。この回路装置は、例えばテレビチューナ、ＤＶＤプレイヤなどの図示しない映像再生機器と各種信号が送受信可能に接続され、映像再生機器からアナログ信号やデジタル信号として送信される映像データを取得する。そして、取得した映像データを適宜処理し、これをディスプレイ部１１０に送信する。筐体１２０は、例えば合成樹脂板や金属板などからなる略長尺矩形状のケース体であり、ディスプレイ部１１０および回路装置の外側を覆う。この筐体１２０背面側における床面部４００側には、床面部４００と略対向する状態で図示しない端子面が設けられている。この端子面には、回路装置および映像再生機器間の信号の授受を実施する図示しない接続端子部が配設されている。
【００１４】
ディスプレイ取付装置２００は、平面ディスプレイ１００を側壁部３００および床面部４００に取り付けるための装置である。このディスプレイ取付装置２００は、図１ないし図４に示すように、側壁固定部２１０と、スライド部材２２０と、支柱部材２３０と、支柱支持部材２４０と、カバー部材２５０と、を備えている。
【００１５】
側壁固定部２１０は、側壁部３００に固定されて後述するスライド部材２２０を支持し、平面ディスプレイ１００が床面部４００へ向けて転倒することを防ぐ。具体的には、この側壁固定部２１０は、図４に示すように、プレート部材２１１と、６つのフック部材２１２と、を備えている。
【００１６】
プレート部材２１１は、例えば鋼板などにて長方形状に形成された部材であり、その長尺方向が床面部４００と略平行する状態に設けられている。このプレート部材２１１は、側壁部３００の所定の位置に、例えばプレート部材２１１の一面側に粘着テープを貼着したり、側壁部３００に図示しないアンカーを埋め込んでこのアンカーに図示しないねじを螺合したりして、固定される。なお、このプレート部材２１１の側壁部３００への固定方法としては、側壁部３００やプレート部材２１１の材質に応じたいずれの方法を採用することができる。
【００１７】
フック部材２１２は、それぞれ例えば鋼材などにて形成され、図６に示すように、円盤部２１２Ａと、円盤部２１２Ａにおける一端面の中心から円盤部２１２Ａと直交する方向に所定寸法だけ突出した円柱部２１２Ｂとを有している。そして、６つのフック部材２１２は、図４に示すように、２組のフック部材組に分けられ、それぞれプレート部材２１１の他面側における長尺方向両端側に３個ずつ並列した状態で設けられている。すなわち、プレート部材２１１の長尺方向一端側に設けられた３つのフック部材２１２は、それぞれ床面部４００に対して垂直方向（以下、鉛直方向と称す）に略沿って等間隔で並んで配置され、それぞれの円柱部２１２Ｂの他端側がプレート部材２１１に固定されている。同様に、プレート部材２１１の長尺方向他端側に設けられた３つのフック部材２１２は、それぞれ鉛直方向に略沿って等間隔で並んで配置され、それぞれの円柱部２１２Ｂの他端側がプレート部材２１１に固定されている。これにより、それぞれのフック部材２１２は、プレート部材２１１の長尺方向およびこの長尺方向と直交する方向に略沿う状態で配設されている。また、それぞれの円盤部２１２Ａが、プレート部材２１１と対向し、かつ、プレート部材２１１から円柱部２１２Ｂの軸方向長さ分だけ離間した状態でプレート部材２１１に固定されている。なお、円柱部２１２Ｂの軸方向長さ寸法は、後述するフック側係合部材２２２の板厚寸法よりも僅かに大きな寸法に設定されている。
【００１８】
スライド部材２２０は、図４に示すように、プレート部材２１１の長尺方向両端側に設けられた２組のフック部材組に対応して一対で設けられ、平面ディスプレイ１００が取り付けられる。また、略鉛直方向に沿ってフック部材２１２に摺動可能な状態で支持されている。具体的には、スライド部材２２０は、図５に示すように、ディスプレイ側固定部材２２１と、フック側係合部材２２２とを備えている。
【００１９】
ディスプレイ側固定部材２２１は、例えば鋼板にて略長方形状に形成された部材である。このディスプレイ側固定部材２２１は、その長尺方向が鉛直方向に略沿った状態で、ディスプレイ側固定部材２２１の長尺方向一側縁側に設けられたねじ穴２２１Ａを介して、図示しないねじにて平面ディスプレイ１００における筐体１２０の背面側に固定される。そして、ディスプレイ側固定部材２２１の長尺方向一側縁側には、平面ディスプレイ１００への固定方向と逆方向に向けて舌片状に切り起し形成された複数の切起部２２１Ｂが設けられている。これら切起部２２１Ｂの先端側は、ディスプレイ側固定部材２２１と略平行する状態で、ディスプレイ側固定部材２２１の外側へ向けて折り曲げられている。また、ディスプレイ側固定部材２２１の長尺方向他側縁には、複数の取付片部２２１Ｃが当該長尺方向他側縁に沿って所定の間隔を置いて配設されている。これら取付片部２２１Ｃは、平面ディスプレイ１００への固定方向と逆方向に向けて舌片状に突出形成されている。そして、切起部２２１Ｂの先端側は、ディスプレイ側固定部材２２１と略平行する状態で、ディスプレイ側固定部材２２１の外側へ向けて折り曲げられている。
【００２０】
フック側係合部材２２２は、例えば鋼板にて断面略Ｃ字形状に形成された長手状の部材である。具体的には、フック側係合部材２２２は、ディスプレイ側固定部材２２１と略等しい長手方向寸法を有した略長方形状の鋼板の長尺方向両側縁側を、それぞれ同一方向へ向けて略直角に折り曲げ、さらに当該長尺方向両側縁が互いに対向する方向へ向けて折り曲げられた形状を有している。また、当該長尺方向両側縁は互いに離間した状態となっており、ここに直線状の間隙２２２Ａが形成されている。そして、フック側係合部材２２２の間隙２２２Ａが形成されていない側の外周面には、その長尺方向がディスプレイ側固定部材２２１の長尺方向と一致した状態で、ディスプレイ側固定部材２２１における切起部２２１Ｂの先端側および取付片部２２１Ｃの先端側が接合されている。これにより、間隙２２２Ａは鉛直方向に略沿う状態に形成されている。なお、フック側係合部材２２２における側壁部３００と直交する方向の幅寸法は、円盤部２１２Ａの厚み寸法よりも僅かに大きな寸法に設定されている。
【００２１】
支柱部材２３０は、スライド部材２２０が固定され、床面部４００に支持される柱状の部材である。具体的には、支柱部材２３０は、図４および図５に示すように、例えば長尺方向が側壁部３００に沿った長方形状の軸方向断面を有した中空鋼棒材であり、プレート部材２１１の長尺方向両端側に設けられた２組のフック部材組に対応して一対で設けられている。そして、それぞれの一端側は鉛直方向に略沿う直線状に形成されている。この支柱部材２３０の一端側は、スライド部材２２０におけるディスプレイ側固定部材２２１と、フック側係合部材２２２と、切起部２２１Ｂと、取付片部２２１Ｃとで挟まれた空間に挿入された状態で、これらの部材に固定されている。また、支柱部材２３０のそれぞれの他端側は、床面部４００と側壁部３００に沿う状態で、数字の７の様な形状に折曲形成され、これにより屈曲部２３１が形成されている。この屈曲部２３１のうち床面部４００と対向する部位は、床面部４００に当接される当接面部２３２となっている。また、屈曲部２３１の先端側は、床面部４００に対して略垂直方向に沿って直線状に延びた側壁面固定部２３３となっている。
【００２２】
支柱支持部材２４０は、側壁部３００に固定され、支柱部材２３０を床面部４００に対して略垂直方向に摺動可能な状態で支持する部材である。具体的には、支柱支持部材２４０は、図２および図４に示すように、例えば鋼板などにて略長方形状に形成された部材であり、その長尺方向が床面部４００と略平行する状態で側壁部３００の下部に取り付けられている。この支柱支持部材２４０の長尺方向両端側には、支柱部材２３０の側壁面固定部２３３と対応する部位に、一対の支柱固定部２４１が設けられている。この支柱固定部２４１は、支柱支持部材２４０における側壁面固定部２３３と対応する前記部位に支柱支持部材２４０の長尺方向に沿う一対の直線状の切欠を形成し、当該切欠間を側壁部３００と直交する方向に押し出した形状を有している。すなわち、支柱固定部２４１は、軸直交方向断面が略コ字形状に形成されており、鉛直方向に略沿った貫通孔を有している。そして、この支柱固定部２４１の貫通孔内に支柱部材２３０の側壁面固定部２３３が挿入された状態で、支柱支持部材２４０が側壁部３００に固定される。
【００２３】
カバー部材２５０は、支柱部材２３０および支柱支持部材２４０の外側を覆う。具体的に、カバー部材２５０は、図２に示すように、例えば合成樹脂などにて、床面部４００と平行する断面が略コ字形状に形成され、略矩形板状の正面部２５１およびこの正面部２５１の両端側に一連に設けられた両側面部２５２を有している。そして、一対の支柱部材２３０間に亘り、それぞれの屈曲部２３１の形状に合わせて、カバー部材２５０の正面部２５１が下端側から上端へかけて側壁部３００に近づく状態に設けられている。また、カバー部材２５０の両側面部２５２は、正面部２５１の形状に合わせた略台形状に形成されている。これにより、カバー部材２５０は、側壁部３００と床面部４００とで閉塞された空間を形成し、この空間内に支柱部材２３０の屈曲部２３１および支柱支持部材２４０を収容する。なお、このカバー部材２５０の内面側に図示しない係合部を設け、カバー部材２５０で支柱部材２３０および支柱支持部材２４０の外側を覆った際に、支柱部材２３０における屈曲部２３１の一部に当該係合部が係合する構成としてもよい。この場合、カバー部材２５０の位置が安定するので、利用者がカバー部材２５０に触れても位置ずれしない。
【００２４】
（平面ディスプレイの取付動作）
次に、平面ディスプレイ１００の取付動作について説明する。
【００２５】
予め、上記のように複数のフック部材２１２をプレート部材２１１に取り付け、側壁固定部２１０を構成しておく。そして、図４に示すように、任意の設置場所において、側壁部３００の所定の位置に側壁固定部２１０を固定する。
【００２６】
次に、図５に示すように、ディスプレイ側固定部材２２１とフック側係合部材２２２とを上記のように組み合わせ、スライド部材２２０を構成する。そして、支柱部材２３０の一端側を、スライド部材２２０におけるディスプレイ側固定部材２２１と、フック側係合部材２２２と、切起部２２１Ｂと、取付片部２２１Ｃとで挟まれた空間に挿入してこれらの部材に固定し、スライド部材２２０および支柱部材２３０を一体的に連結しておく。この状態のスライド部材２２０および支柱部材２３０を一対準備する。
【００２７】
この後、利用者はスライド部材２２０をフック部材２１２に係合させる。すなわち、スライド部材２２０におけるフック側係合部材２２２の下端側から、図６に示すように、フック側係合部材２２２の内側にフック部材２１２の円盤部２１２Ａを挿通していく。そして、スライド部材２２０を、鉛直方向下向きに摺動させる。この際、フック側係合部材２２２には鉛直方向に沿った間隙２２２Ａが形成されているので、フック側係合部材２２２の長尺方向両側縁は、スライド部材２２０が鉛直方向に摺動するためのガイドとして機能する。当然、フック部材２１２の円柱部２１２Ｂとフック側係合部材２２２とは互いに干渉しない。
【００２８】
そして、プレート部材２１１の長尺方向両端側に設けられたそれぞれのフック部材組に対して、それぞれのスライド部材２２０を係合させ、支柱部材２３０における当接面部２３２を床面部４００に当接させる。この状態において、それぞれのスライド部材２２０および支柱部材２３０は、床面部４００に支持されており、かつ、側壁部３００に係合された状態で支持されている。
【００２９】
この後、支柱部材２３０の下部側を側壁部３００に固定する。すなわち、利用者は、支柱支持部材２４０における支柱固定部２４１の貫通孔に、支柱部材２３０における側壁面固定部２３３の上側端部を挿入する。そして、支柱支持部材２４０を鉛直方向下向きに摺動させ、支柱固定部２４１を側壁面固定部２３３の下側端部まで挿入する。この状態で、支柱支持部材２４０を側壁部３００に固定する。これにより、支柱部材２３０の下部側が側壁部３００に固定される。
【００３０】
支柱支持部材２４０を側壁部３００に固定したら、カバー部材２５０で、支柱部材２３０および支柱支持部材２４０の外側を覆う。スライド部材２２０におけるディスプレイ側固定部材２２１のねじ穴２２１Ａを介して、図示しないねじを平面ディスプレイ１００における筐体１２０の背面側に螺合固定する。これにより、平面ディスプレイ１００の取付作業が終了する。
【００３１】
以上のようにしてディスプレイ取付装置２００にて取り付けられた平面ディスプレイ１００は、その重量の大部分がスライド部材２２０および支柱部材２３０を介して床面部４００で支持された状態となる。また、スライド部材２２０は側壁部３００に固定された側壁固定部２１０に鉛直方向すなわち重力方向に摺動可能な状態で係合しているので、側壁部３００には平面ディスプレイ１００の重量がほとんど掛からない。さらに、フック部材２１２の円盤部２１２Ａがフック側係合部材２２２の内側に内包されていることから、側壁部３００と直交する方向からの引張力に対しては抗力を発揮し、平面ディスプレイ１００が支柱部材２３０の下部を回動支点として床面部４００へ向けて転倒することがない。
【００３２】
〔ディスプレイ取付装置の作用効果〕
上述したように、上記実施の形態では、以下に示す作用効果を奏する。
【００３３】
平面ディスプレイ１００を取り付けるためのディスプレイ取付装置２００に、側壁部３００に設けられるフック部材２１２と、平面ディスプレイ１００が取り付けられ、かつ、鉛直方向に沿ってフック部材２１２に摺動可能な状態で支持されるスライド部材２２０と、スライド部材２２０が固定され、かつ、床面部４００に支持される支柱部材２３０と、を設けている。このため、平面ディスプレイ１００の重量の大部分を、スライド部材２２０および支柱部材２３０を介して床面部４００で支持できるので、側壁部３００への負担を大幅に軽減することができる。また、スライド部材２２０は側壁部３００に設けられたフック部材２１２に鉛直方向に摺動可能な状態で係合しているので、側壁部３００には平面ディスプレイ１００の重量をほとんど掛けない状態とすることができ、かつ、側壁部３００と直交する方向からの引張力に対しては抗力を発揮することができる。これにより、平面ディスプレイ１００が支柱部材２３０の下部を回動支点として床面部４００へ向けて転倒することを防ぐことができる。したがって、側壁部のみで平面ディスプレイを支持する従来の構成に比べて側壁部３００への負担を大幅に軽減することができ、側壁部３００を特に補強することなく、平面ディスプレイ１００を所望の設置場所に確実に取り付けることができる。
【００３４】
また、３つのフック部材２１２が床面部４００に対して略垂直方向に沿って並設された一組のフック部材組を、側壁部３００に２組並列して設けている。また、スライド部材２２０および支柱部材２３０を、フック部材組のそれぞれに対応して一対で設けている。このため、長尺方向が床面部４００に対して平行する略長方形状の平面ディスプレイ１００を、バランス良く支持することができる。また、床面部４００に多少の凹凸が生じたとしても、スライド部材２２０が鉛直方向に摺動可能であるので、平面ディスプレイ１００の確実な支持を維持することができる。さらに、一組のフック部材組を複数のフック部材２１２にて構成することにより、各フック部材２１２に係る負荷を軽減することができ、それぞれのフック部材２１２を高い強度を有した構成とせずに済む。すなわち、フック部材２１２を安価な部材で仕上げることができるので、製造コストの低減を図ることができる。
【００３５】
そして、複数のフック部材２１２を、プレート部材２１１を介して側壁部３００に固定している。このため、予め、まとめてフック部材２１２をプレート部材２１１に取り付けた側壁固定部２１０を準備でき、複数のフック部材２１２を個別に側壁部３００に固定する必要もないので作業時間の短縮化が実現でき、現場での施工性を大幅に向上することができる。また、複数のフック部材２１２をプレート部材２１１の一面で側壁部３００の面に対して取り付けるので、プレート部材２１１を側壁部３００に対してより強く密着させることができ、平面ディスプレイ１００の側壁部３００と直行する方向への支持力をより強固なものとすることができる。
【００３６】
さらに、側壁部３００に固定され、支柱部材２３０を支持する支柱支持部材２４０を設けている。このため、支柱部材２３０の下部側が側壁部３００に固定されて安定するので、利用者が誤って支柱部材２３０の下部側を触ってしまったとしても、平面ディスプレイ１００が転倒してしまうなどの事故を防ぐことができる。
【００３７】
そして、支柱支持部材２４０にて、支柱部材２３０を摺動可能な状態で支持している。このため、床面部４００に多少の凹凸が生じたとしても、支柱支持部材２４０が鉛直方向に摺動可能であるので、平面ディスプレイ１００の確実な支持を維持することができる。また、フック部材２１２に対してスライド部材２２０を係合させ、支柱部材２３０における当接面部２３２を床面部４００に当接させてから、支柱支持部材２４０を鉛直方向に沿って摺動させ、支柱固定部２４１を側壁面固定部２３３の下側端部まで挿入することができる。つまり、ディスプレイ取付装置の現場での組立を円滑に行うことができ、施工性を向上できる。
【００３８】
また、支柱部材２３０の床面部側に、床面部４００に当接される当接面部２３２を備えた屈曲部２３１を設けている。このため、支柱部材２３０は当接面部２３２にて面接触で床面部４００に支持される状態となるので、より安定した支持状態を得ることができる。したがって、平面ディスプレイ１００をより安定的に支持することができる。また、例えば、屈曲部２３１における側壁部３００からの距離寸法を平面ディスプレイ１００の奥行き寸法未満の長さにすれば、平面ディスプレイ１００の設置場所を必要最小限度に留めることができ、省スペース化を図ることができる。
【００３９】
そして、屈曲部２３１は、床面部４００と側壁部３００に沿う状態に屈曲した形状を有している。通常、床面と側壁とは略直交の状態で設けられているのが一般的であり、このため、当接面部２３２も側壁部３００に略直交する状態に設けられることになり、平面ディスプレイ１００が支柱部材２３０の下部を回動支点として床面部４００へ向けて回動する際の回動方向と逆方向に作用する回転モーメントを発生することができる。また、屈曲部２３１の全体が床面部４００と側壁部３００に沿っているので、当該回転モーメントをその他の方向に分散させることなく効果的に作用させることができる。したがって、簡易な構成で、平面ディスプレイ１００が支柱部材２３０の下部を回動支点として床面部４００へ向けて転倒することを防ぐことができる。
【００４０】
また、支柱部材２３０および支柱支持部材２４０の外側を覆うカバー部材２５０を設けている。このため、カバー部材２５０を設けたことにより支柱部材２３０および支柱支持部材２４０を隠すことができるので、平面ディスプレイ１００をディスプレイ取付装置２００にて取り付けた状態において意匠性が増すと共に、支柱部材２３０における屈曲部２３１に利用者が誤って引っ掛かってしまうなどの事故を防ぐことができる。
【００４１】
そして、ディスプレイ側固定部材２２１を板状部材として設けている。また、支柱部材２３０を、長尺方向が側壁部３００に沿った長方形状の軸方向断面を有した中空鋼棒材としている。そして、フック側係合部材２２２における側壁部３００と直交する方向の幅寸法を、円盤部２１２Ａの厚み寸法よりも僅かに大きな寸法に設定している。さらに、円柱部２１２Ｂの軸方向長さ寸法を、フック側係合部材２２２の板厚寸法よりも僅かに大きな寸法に設定している。このため、側壁部３００から平面ディスプレイ１００の背面側までの間隔が小さくて済むので、側壁部３００から平面ディスプレイ１００の表示面までの間隔寸法を平面ディスプレイ１００の奥行寸法と略同一の寸法に留めることができる。したがって、平面ディスプレイ１００の設置場所を必要最小限度に留めることができ、省スペース化を図ることができる。
【００４２】
また、ディスプレイ側固定部材２２１を、例えば鋼板にて略長方形状に形成している。また、このディスプレイ側固定部材２２１には、複数の切起部２２１Ｂおよび複数の取付片部２２１Ｃを設けている。そして、フック側係合部材２２２を、例えば鋼板にて断面略Ｃ字形状の長手状に形成している。このため、ディスプレイ側固定部材２２１およびフック側係合部材２２２を、例えばプレス加工にて成形すれば、製造効率を大幅に向上することができる。
【００４３】
〔実施の形態の変形〕
なお、本発明は上述した実施の形態に限定されるものではなく、本発明の目的を達成できる範囲で以下に示される変形をも含むものである。
【００４４】
すなわち、上述したように、前記実施の形態では、ディスプレイ取付装置２００にて取り付けられる平面ディスプレイ１００として、プラズマディスプレイパネルを備えた構成を例示したが、これに限らず、例えば液晶表示パネルや有機ＥＬパネル、ＦＥＤ、電気泳動ディスプレイパネルなどを備えたいずれの構成でも適用できる。また、ディスプレイ部１１０を平面略長方形状としたが、平面状に限らず、表示面が湾曲して形成された構成としてもよい。
【００４５】
そして、前記実施の形態では、図１などに示したように、側壁部３００を床面部４００に対して略直交する平面状の側壁として例示したが、これに限らない。すなわち、例えば、側壁部に所定の形状の凹凸が形成された構成としてもよく、このような場合でも前記実施の形態と同様の作用効果を奏する、すなわち、側壁部３００を特別に補強することなく平面ディスプレイ１００を取り付けることができる。
【００４６】
また、前記実施の形態では、フック部材２１２は、円盤部２１２Ａと、円盤部２１２Ａにおける一端面の中心から円盤部２１２Ａと直交する方向に所定寸法だけ突出した円柱部２１２Ｂとを有しているとしたが、これに限らない。すなわち、例えば、フック部材を長方形状の鋼板を略コ字形状に折曲形成し、その一端側をプレート部材２１１に固定し、その他端側をスライド部材２２０に鉛直方向に摺動可能な状態で係合させる構成などとしてもよい。このような構成でも前記実施の形態と同様の作用効果を奏する、すなわち、側壁部３００を特別に補強することなく平面ディスプレイ１００を取り付けることができる。
【００４７】
さらに、前記実施の形態では、６つのフック部材２１２を、プレート部材２１１に固定する構成としたが、これに限らない。すなわち、フック部材２１２は、プレート部材２１１に対して１つだけ設ける構成としてもよい。このような構成の場合、製造コストを安価にすることができる。また、各フック部材組におけるフック部材２１２の個数を３個にせず、２個や、４個以上としてもよい。各フック部材組におけるフック部材２１２の個数が多い程、各フック部材２１２に掛かる負担を軽減することができる。また、プレート部材２１１にフック部材２１２を取り付けないで、フック部材とプレートとを一連の部材にて一体的に形成する構成などとしてもよい。すなわち、例えば、長方形状のプレートの長尺方向両端側をそれぞれ同一方向かつプレートと直交する方向に向けて折り曲げ、さらに当該長尺方向両端を互いに対向する方向へ向けて折曲形成して、断面Ｌ字形状の当該長尺方向両端をフック部材とする構成などとしてもよい。このような構成の場合、フック部材をプレートに個別に取り付けなくても金属平板のプレス加工にてフック部材を瞬時に成形できるので、製造効率を向上できる。
【００４８】
また、前記実施の形態では、スライド部材２２０におけるディスプレイ側固定部材２２１にねじ穴２２１Ａを設け、このねじ穴２２１Ａを介して図示しないねじにて平面ディスプレイ１００とスライド部材２２０とを連結する構成を例示したが、これに限らない。すなわち、ディスプレイ側固定部材２２１にフック状の係合部を設けこれを平面ディスプレイ１００の筐体１２０の背面側に係合させる構成としても構わない。このような構成でも前記実施の形態と同様の作用効果を奏する、すなわち、側壁部３００を特別に補強することなく平面ディスプレイ１００を取り付けることができると共に、ねじ止めの必要がないので平面ディスプレイ１００の取付動作を容易に行うことができる。
【００４９】
そして、前記実施の形態では、支柱部材２３０を、長尺方向が側壁部３００に沿った長方形状の軸方向断面を有した中空棒材としたが、これに限らず、例えば、中実の円棒部材や、中実の四角棒部材などとしてもよい。このような構成でも前記実施の形態と略同様の作用効果を奏する、すなわち、側壁部３００を特別に補強することなく平面ディスプレイ１００を取り付けることができる。
【００５０】
また、前記実施の形態では、フック部材２１２を側壁部３００に固定するためにプレート部材２１１を介装する構成を例示したが、例えば、図７に示すように、プレートを設けずにフック部材２１３を側壁部３００に直接固定する構成としてもよい。ここで、図７は、前記実施の形態の一変形例におけるディスプレイ取付装置の分解構造を示した斜視図である。なお、フック部材２１３の側壁部３００への固定方法としては、側壁部３００に図示しないアンカーを埋め込んでこのアンカーにフック部材２１３を固定するなど、いずれの方法をも採用できる。このような構成では、プレートを設けないので、製造コストを安価にすることができる。また、平面ディスプレイ１００およびディスプレイ取付装置２００Ａを取り外した状態で、側壁部３００にはフック部材２１３のみが設けられているので目立たず、家屋の室内の景観が悪化することを防ぐことができる。なお、当然、前記実施の形態と略同様の作用効果を奏する、すなわち、側壁部３００を特別に補強することなく平面ディスプレイ１００を取り付けることができる。
【００５１】
さらに、図４に示すプレート部材２１１を側壁部３００内に埋設して、図７のような状態に、プレートを視認できないような構成にしてもよい。このような構成の場合、プレート部材２１１に予めフック部材２１２を取り付けておく利点が得られると共に、外観上、プレート部材２１１を側壁部３００内に隠すことにより、平面ディスプレイ１００およびディスプレイ取付装置２００における壁側固定部２１０以外の各部を取り外した状態で、家屋の室内の景観が悪化することを防ぐことができる。
【００５２】
また、前記実施の形態では、支柱部材２３０の屈曲部２３１を、床面部４００と側壁部３００に沿う状態で、数字の７の様な形状に折曲形成するとしたが、これに限らない。すなわち、例えば、支柱部材の下端側を側壁部３００に対して直交する方向に折れ曲げ、支柱部材全体を略Ｌ字形状に形成してもよい。また、当接面部２３２と側壁部３００とのなす角が約４５度となるように屈曲部２３１を形成してもよい。これらのような構成でも、前記実施の形態と略同様の作用効果を奏する、すなわち、側壁部３００を特別に補強することなく平面ディスプレイ１００を取り付けることができる。
【００５３】
そして、支柱部材２３０に屈曲部２３１を設けずに、例えば図８および図９に示すディスプレイ取付装置２００Ｂのように、支柱部材２３０Ａを側壁部３００に沿った直線状に形成する構成としてもよい。ここで、図８は、前記実施の形態の一変形例におけるディスプレイ取付装置にて、平面ディスプレイが取り付けられた状態を示す側面図である。図９は、前記実施の形態の一変形例におけるディスプレイ取付装置にて、平面ディスプレイが取り付けられた状態、および、ラックを設置した状態を示す側面図である。図８および図９に示すように、支柱部材２３０Ａを側壁部３００に沿った直線状に形成すれば、平面ディスプレイ１００の下部に有効スペースが増えるので、図９に示すように平面ディスプレイ１００の下部にラック５００を設置し、ラック５００と平面ディスプレイ１００の外観上の良好な調和が得られるなどの効果が得られる。なお、図９では、ラック５００を例示しているが、平面ディスプレイ１００の下部にはラック５００の代わりに、その他の家具やオーディオ装置などを配置できる。
【００５４】
また、図８のような構成の場合、支柱部材２３０Ａにおける床面部４００との当接面部２３４が狭小な面積となるので、床面部４００を傷つけないように、当接面部２３４に図示しない弾性部材を設けるなどの処置をすることが好ましい。その他、図９に示したように、支柱部材２３０Ａの下端部を床面部４００に当接させずにラック５００の背面側に固定し、ラック５００の底面部で平面ディスプレイ１００の重量を受ける構成としてもよい。このような構成の場合、平面ディスプレイ１００の下部に形成された有効スペースを、ラック５００を載置することで活用することができると共に、支柱部材２３０Ａにおける狭小な当接面部２３４を床面部４００に当接せずに、ラック５００の底面部で平面ディスプレイ１００の重量を支持し、床面部４００が支柱部材２３０Ａの当接面部２３４で傷つけてしまうことを防ぐことができる。これらのような構成においても、前記実施の形態と略同様の作用効果を奏する、すなわち、側壁部３００を特別に補強することなく平面ディスプレイ１００を取り付けることができる。
【００５５】
さらに、前記実施の形態では、カバー部材２５０を、支柱部材２３０および支柱支持部材２４０の外側を覆う状態で設けているとしたが、これに限らない。すなわち、例えば、カバー部材２５０を設けない構成としてもよい。このような場合、前記実施の形態と略同様の作用効果を奏する、すなわち、側壁部３００を特別に補強することなく平面ディスプレイ１００を取り付けることができると共に、ディスプレイ取付装置の製造単価を低廉にすることができる。また、カバー部材２５０をディスプレイ取付装置２００に設けたとしても、図２などに示したような形状には限定されず、支柱部材２３０の外側を覆う形状であればいずれでもよい。
【００５６】
そして、前記実施の形態におけるカバー部材２５０を、図８に示したディスプレイ取付装置２００Ｂに設ける構成としてもよい。この場合、カバー部材２５０の形状は図２に示したような形状ではなく、支柱部材２３０Ａの形状に合わせて側壁部３００に略沿う形状とすることが好ましい。このような場合も、前記実施の形態と同様に、カバー部材２５０を設けたことにより支柱部材２３０および支柱支持部材２４０を隠すことができるので、平面ディスプレイ１００をディスプレイ取付装置２００にて取り付けた状態において意匠性が増すと共に、支柱部材２３０における屈曲部２３１に利用者が誤って引っ掛かってしまうなどの事故を防ぐことができる。また、カバー部材を側壁部３００に略沿う状態に設けることにより、狭小な設置スペースで済むので、設置スペースを有効活用することができる。
【００５７】
また、前記実施の形態では、平面ディスプレイ１００の取付動作で説明したように、一対のスライド部材２２０および一対の支柱部材２３０とを一体的に連結した状態にして、これらを側壁固定部２１０に係合させてから、平面ディスプレイ１００を取り付ける順番で説明したがこれに限らない。すなわち、例えば、平面ディスプレイ１００と、一対のスライド部材２２０と、一対の支柱部材２３０とを一体的に連結した状態にしてから、スライド部材２２０を側壁固定部２１０に係合させる構成としてもよい。このような構成でも、前記実施の形態と略同様の作用効果を奏する、すなわち、側壁部３００を特別に補強することなく平面ディスプレイ１００を取り付けることができる。
【００５８】
そして、前記実施の形態では、側壁固定部２１０、スライド部材２２０、支柱部材２３０および支柱支持部材２４０に鋼材を用いる構成を例示したが、これに限らない。すなわち、例えば、これらの部材には、例えばアルミニウムなどのその他の金属材料や、合成樹脂などのいずれの構造材料を採用することができる。また、カバー部材２５０を合成樹脂で形成する構成を例示したがこれに限らず、アルミニウムなどの金属材料で形成してもよい。
【００５９】
その他、本発明の実施の際の具体的な構造および手順は、本発明の目的を達成できる範囲で他の構造などに適宜変更できる。
【００６０】
〔実施の形態の効果〕
上述したように、上記実施の形態では、ディスプレイ取付装置２００に、側壁部３００に設けられるフック部材２１２と、平面ディスプレイ１００が取り付けられ、かつ、鉛直方向に沿ってフック部材２１２に摺動可能な状態で支持されるスライド部材２２０と、スライド部材２２０が固定され、かつ、床面部４００に支持される支柱部材２３０と、を設けている。このため、平面ディスプレイ１００の重量の大部分を、スライド部材２２０および支柱部材２３０を介して床面部４００で支持できるので、側壁部３００への負担を大幅に軽減することができる。また、スライド部材２２０は側壁部３００に設けられたフック部材２１２に鉛直方向に摺動可能な状態で係合しているので、側壁部３００には平面ディスプレイ１００の重量をほとんど掛けない状態とすることができ、かつ、側壁部３００と直交する方向からの引張力に対しては抗力を発揮することができる。これにより、平面ディスプレイ１００が支柱部材２３０の下部を回動支点として床面部４００へ向けて転倒することを防ぐことができる。したがって、側壁部３００への負担を大幅に軽減することができ、側壁部３００を特に補強することなく、平面ディスプレイ１００を所望の設置場所に確実に取り付けることができる。
【図面の簡単な説明】
【００６１】
【図１】本発明の一実施の形態に係るディスプレイ取付装置にて平面ディスプレイが取り付けられた状態を示す斜視図である。
【図２】図１において、前記実施の形態におけるカバー部材を外した状態を示す斜視図である。
【図３】前記実施の形態におけるディスプレイ取付装置にて平面ディスプレイが取り付けられた状態を示す側面図である。
【図４】前記実施の形態におけるディスプレイ取付装置の分解構造を示した斜視図である。
【図５】前記実施の形態におけるスライド部材および支柱部材を拡大して示した斜視図である。
【図６】前記実施の形態におけるディスプレイ取付装置の要部を拡大して示した平面図である。
【図７】前記実施の形態の一変形例におけるディスプレイ取付装置の分解構造を示した斜視図である。
【図８】前記実施の形態の一変形例におけるディスプレイ取付装置にて、平面ディスプレイが取り付けられた状態を示す側面図である。
【図９】前記実施の形態の一変形例におけるディスプレイ取付装置にて、平面ディスプレイが取り付けられた状態、および、ラックを設置した状態を示す側面図である。
【符号の説明】
【００６２】
１００…平面ディスプレイ
２００，２００Ａ，２００Ｂ…ディスプレイ取付装置
２１１…プレート部材
２１２，２１３…フック部材
２２０…スライド部材
２３０，２３０Ａ…支柱部材
２３１…屈曲部
２３２，２３４…当接面部
２４０…支柱支持部材
２５０…カバー部材
３００…側壁部
４００…床面部
５００…ラック
【図１】
2006323195.tif 000003
【図２】
2006323195.tif 000004
【図３】
2006323195.tif 000005
【図４】
2006323195.tif 000006
【図５】
2006323195.tif 000007
【図６】
2006323195.tif 000008
【図７】
2006323195.tif 000009
【図８】
2006323195.tif 000010
【図９】
2006323195.tif 000011